(57)【特許請求の範囲】
【請求項１】
マウント部が配設された後部筒と、
該後部筒に固定された保持筒と、
該保持筒の該マウント部と反対側に一体的に固定された固定筒と、
該固定筒に対し光軸方向に移動するレンズ移動枠と、
該レンズ移動枠を保持し、移動に伴って光軸方向に移動する直進筒と、
該直進筒を回転に伴って光軸方向に移動可能に保持するカム筒と
を有するレンズ鏡筒において、
該レンズ移動枠に配設され、該レンズ移動枠の移動に伴って該レンズ移動枠と同方向に移動する電気装置と、
該保持筒に配設され、該電気装置を制御する制御部と、
該電気装置と該制御部とを電気的に接続し、該電気装置の光軸方向の移動に伴って収納または展開される可撓性プリント配線接続部材と、
該レンズ移動枠に一体的に、光軸方向と略平行に配設され、該可撓性プリント配線接続部材を該レンズ鏡筒の光軸方向と略平行に保持する移動群側保持部材と、
該保持筒に光軸方向と略平行に固定され、該可撓性プリント配線接続部材を該レンズ鏡筒の光軸方向と略平行に保持する固定側保持部材
を有した該レンズ鏡筒におけるレンズ鏡筒の電気的接続構造であって、
該可撓性プリント配線接続部材は、
該電気装置が該マウント部側に移動したとき、該固定側保持部材に沿って該レンズ鏡筒の径方向に屈曲して該後部筒の内壁に当接し、さらに該マウント部と反対側に屈曲して該後部筒の内壁に沿って光軸方向に延出し、該保持筒の後端に当接することでなだらかに屈曲して該マウント部側に折り返し、再びなだらかに折り返して該マウント部と反対側に延出し、該後部筒と該保持筒と該制御部とからなる間隙に収納され、
該電気装置が該マウント部と反対側に移動したとき、該固定側保持部材に沿って前記レンズ鏡筒の径方向に屈曲し、該後部筒及び該保持筒いずれの内壁にも当接せずに屈曲してなだらかに折り返し、該マウント部と反対側に延出して展開される
ことを特徴とするレンズ鏡筒の電気的接続構造。
【請求項２】
電気装置が電気的絞り装置であることを特徴とする請求項１に記載のレンズ鏡筒の電気的接続構造。
【請求項３】
電気装置が電気的シャッタ−装置であることを特徴とする請求項１に記載のレンズ鏡筒の電気的接続構造。
【発明の詳細な説明】
【０００１】
【発明の属する技術分野】
本発明は、繰り出しする移動レンズ群に一体的に取り付けられた電気的絞り装置を有するレンズ鏡筒の電気的接続構造に関するものである。
【０００２】
【従来の技術】
一般に、固定筒に対しフォーカシングあるいはズーミングのために光軸方向に移動する移動群に一体的に取り付けられた電気的絞り装置あるいは電気的シャッタ装置と固定部に配置されている制御部とを電気的に接続する手段として、鏡筒内に弛みを持たせてリード線やフレキシブルプリント配線板による接続する方法が知られている。
【０００３】
これに対し、実開昭５９−１２８６０９号公報に記載されているレンズ鏡筒内配線装置のようにフォーカシングまたはズーミングのために移動する操作環等の移動部材と固定筒とを、帯状のフレキシブルプリント配線板を操作環の移動方向に沿い中間部を折り返して接続するようにしたり、実公平６−３７３７１号公報に記載されているように光軸方向に移動する電気的絞り装置と固定部とを固定筒の内径部に沿わせてフレキシブルプリント配線板をらせん帯状に配置し、弾性的に湾曲することにより接続可能としたものも知られている。
【０００４】
【発明が解決しようとする課題】
ところが、鏡筒内に弛みを持たせてリード線やフレキシブルプリント配線板による接続する方法では弛んだ際のリード線やフレキシブルプリント配線板が固定筒内の他の移動レンズ群や個所に干渉してストレスや断線等が生じないように広いスペースを与える必要があり、レンズ鏡筒自体の小型化には不適切であった。また、中間部を折り返えす方法では、折り返し部が、繰り返し動かすと、破損しやすいという耐久性に問題があった。フレキシブルプリント配線板をらせん帯状に配置する方法では固定筒内にフレキシブルプリント配線板がらせん状に配置できるだけの周方向のスペースが必要となり、また、らせん状に展開したフレキシブルプリント配線板では製造する際の面積が大きくなり、コストがかかるという問題点もあった。
【０００５】
本発明は、前述の従来例における欠点を除去し、固定筒に対しフォーカシングあるいはズーミングのために光軸方向に回転繰り出しする移動群に一体的に取り付けられる電気的絞り装置あるいは電気的シャッタ装置等の電気装置と固定部に配置される制御部とをフレキシブルプリント配線板で電気的に接続するのに、必要以上のスペースやコストをかけないレンズ鏡筒の電気的接続構造を提供することを目的とする。
【０００６】
【課題を解決するための手段】
前述の目的を達成するために、本発明は固定筒に取り付けた制御部と固定筒に対し光軸方向に移動される移動群に設けた電気装置とを接続する可撓性プリント配線接続部材のプリント配線面を該固定筒の光軸に対し放射方向とほぼ垂直に配設し、かつ可撓性プリント配線接続部材を該制御部と該固定部材との間に配設し、さらに鏡筒内の他の部品と接触しないようにガイド部材を配置したものである。また、可撓性プリント配線接続部材が固定側保持部材により該固定筒の光軸方向とほぼ垂直にＳ字状に配設し、電気装置が一体的に固定される該移動群には、固定筒の光軸方向にほぼ平行に可撓性プリント配線接続部材を保持するための可動側保持部材を設けた。
【０００７】
【発明の実施の形態】
本発明は、固定筒と、該固定筒に対し光軸方向に繰り出し作動する移動群と、該移動群に一体的に固定される電気装置と、該固定筒と一体的な固定部に取り付けられた該電気装置を制御するための制御部と、該電気装置と該制御部とを接続するための可撓性プリント配線接続部材と、該可撓性プリント配線接続部材を該制御部に対し該固定筒の光軸方向とほぼ平行に固定保持するための移動群側保持部材と、該可撓性プリント配線接続部材を該制御部に対し該固定筒の光軸方向とほぼ平行に保持するための固定側保持部材とで構成し、該可撓性プリント配線部材はプリント配線面を該固定筒の光軸に対し放射方向とほぼ垂直に配設し、かつ可撓性プリント配線接続部材を該制御部と該固定部材との間に配設することにより、電気装置と固定部とを電気的に接続する場合に、可撓性プリント配線接続部材を、少なくとも固定筒などの円筒部材の外に収納することができ、フレキシブルプリント配線板が固定筒内の他の移動レンズ群や個所に干渉してストレスや断線等が生じないように広いスペースを与える必要がなくなり、ひいてはレンズ鏡筒の外径を小さくすることができる。
【０００８】
また、本発明は該可撓性プリント配線接続部材が該固定側保持部材により該固定筒の光軸方向とほぼ垂直にＳ字状に配設されていることにより、可撓性プリント配線接続部材によりストレスをかけることなく作動を可能にする。
【０００９】
【実施例】
以下、本発明の一実施例を図１及び図２を参照して説明する。
【００１０】
図１は本発明をズームレンズ鏡筒に適用した実施例で、上半部がワイド位置状態、下半部がテレ位置状態を示し、図２はその要部構成部品の斜視図である。
【００１１】
図において、１はレンズ鏡室で、フロント２の前部に一体的に固定され、ズ−ムリング７の回転と第一直進筒５の直進溝により光軸方向に直進する。第一直進筒５は不図示のキ−と固定筒４の直進溝、及びズ−ムリング７の回転によって光軸方向に直進する。図中の２、８はレンズ移動枠であり、該固定筒４とカム筒３により、光軸方向に移動する。図中の１３，１７はレンズ移動枠であり該カム筒３と、第二直進筒９、及び回転筒１６により、光軸方向に移動する。
【００１２】
また、レンズ移動枠１３には、電磁絞り機構１０が取り付けられており、可撓性のプリント配線板１５により、該電磁絞り機構１０を制御するＣＰＵ等を有する制御基板２４と電気的に接続されている。この制御基板２４は保持筒２１に保持板２２を介して一体的に取り付けられている。
【００１３】
また、レンズ移動枠１３には可撓性のプリント配線板１５を制御基板２４に対し固定筒４の光軸方向とほぼ平行に固定保持するための移動群側保持板１４が一体的に取り付けられている。
【００１４】
保持筒２１は固定筒４と一体的に固定され、カバ−リング１２は保持筒２１と後部筒２３に挟持されて取り付けられている。後部筒２３にはマウント２５が、一体的に取り付けられている。保持筒２１には、可撓性のプリント配線板１５を制御基板２４に対し固定筒４の光軸方向とほぼ平行に保持するための固定側保持板２０により直動可能に挟持されている。カム筒３は固定筒４と第一直進筒５により、光軸方向に回動する。
【００１５】
次に以上の構成の本実施例の動作を説明する。
【００１６】
ズ−ム位置をワイドからテレへ措移行させようとするときは、ズ−ムリング７を回転すると、ズ−ムリング７のカム部と係合する第一直進筒５にねじ締結されたカムコロにより、第一直進筒５は固定筒４の直進ガイド溝に直進ガイドキ−がガイドされ光軸方向に直進移動する。
【００１７】
このとき第一直進筒５のカム部と固定筒４のカム部に係合して、カム筒３にネジ締結されたカムコロにより、カム筒３は光軸方向に回転移動する。
【００１８】
カム筒３が回転移動するとき、カム筒３の回転溝と係合する第二直進筒９にネジ締結されたコロと第二直進筒９の直進溝により、第二直進筒９は光軸方向に直進移動する。
【００１９】
さらに第二直進筒９の直進溝と、カム筒３のカム部とにより、移動枠１３、１７は光軸方向に直進移動する。これでズ−ム操作が完了する。
【００２０】
このとき光軸方向に向かい直進繰り出し移動するレンズ移動枠１３に固定された電磁絞り機構１０の可撓性のプリント配線板１５はＳ字状に屈曲された部分を固定側保持部材２０に沿って延ばしながら制御基板２４との間を電気的に接続する事になる。このＳ字状に屈曲された部分が制御基板２４と保持筒２１の間に収納され、かつ固定側保持部材２０にガイドされて延びるため、鏡筒内に必要以上のスペ−スを必要とせず、結果として、レンズ鏡筒の外径を小さくする事ができる。
【００２１】
また、本実施例では交換レンズタイプのズームレンズ鏡筒に適用して説明したがコンパクトカメラのズームレンズに適用することもできる。また、電磁絞り機構に限定されるものではなく、電気シャッタ機構装置、あるいはその他の電気的装置であっても、当然同様の効果を得られることはいうまでもない。
【００２２】
【発明の効果】
以上説明したように、本発明は、固定筒と、固定筒に対し光軸方向に繰り出し作動する移動群と、移動群に一体的に固定される電気装置と、固定筒と一体的な固定部に取り付けられた電気装置を制御するための制御部と、電気装置と制御部とを接続するための可撓性プリント配線接続部材と、可撓性プリント配線接続部材を制御部に対し固定筒の光軸方向とほぼ平行に固定保持するための移動群側保持部材と、可撓性プリント配線接続部材を制御部に対し固定筒の光軸方向とほぼ平行に保持するための固定側保持部材とで構成し、可撓性プリント配線部材はプリント配線面を固定筒の光軸に対し放射方向とほぼ垂直に配設し、かつ可撓性プリント配線接続部材を制御部と固定部材との間に配設することにより、可撓性プリント配線部材の収納時のスペ−スを、鏡筒内に設けず、その他の場所に収納する事を可能としたので、レンズ鏡筒の内径を小さくする事ができ、結果的に光学機器の外径を小さくする事ができる。
【図面の簡単な説明】
【図１】本発明によるレンズ鏡筒の実施例を示した断面図である。
【図２】本発明による要部構成部品の実施例を示した斜視図である。
【符号の説明】
１  レンズ鏡室
２  レンズ移動枠
３  カム筒
４  固定筒
５  第一直進筒
６  フロント
７  ズ−ムリング
８  レンズ移動枠
９  第二直進筒
１０  電磁絞り機構
１２  カバ−リング
１３  レンズ移動枠
１４  移動群側保持板
１５  プリント配線接板
１６  回転筒
１７  レンズ移動枠
２０  固定側保持板
２１  保持筒
２２  保持板
２３  後部筒
２４  制御基板
２５  マウント
【図１】
0004795508.tif 000002
【図２】
0004795508.tif 000003